(57)【要約】【課題】１つの金型から成形されたハウジングをオス用とメス用のハウジングとして用いることができ、部品点数を増やさず、製造コストを下げることができる。【解決手段】オス端子が取付けられるオス端子用ハウジングとメス端子が取付けられるメス端子用ハウジングとを接続・固定したコネクタにおいて、両ハウジングともに接続端面側にひさし状のカバー部分で覆われた嵌合用凹所とこの凹所に嵌まり込む挿入部を備え、両ハウジングは同一金型から成形された同一構造に形成してあり、一方のハウジングの接続端面側では嵌合用凹所を上にし、他方のハウジングの接続端面側では挿入部を上にして一方の嵌合用凹所に他方の挿入部を嵌合させて両ハウジングの端面同士を接続・固定する。【選択図】図１
2010129438.tif 000002
【特許請求の範囲】
【請求項１】
オス端子が取付けられるオス端子用ハウジングとメス端子が取付けられるメス端子用ハウジングとを接続・固定したコネクタにおいて、
両ハウジングともに接続端面側にひさし状のカバー部分で覆われた嵌合用凹所とこの凹所に嵌まり込む挿入部を備え、
両ハウジングは同一金型から成形された同一構造に形成してあり、
一方のハウジングの接続端面側では嵌合用凹所を上にし、他方のハウジングの接続端面側では挿入部を上にして一方の嵌合用凹所に他方の挿入部を嵌合させて両ハウジングの端面同士を接続・固定することを特徴とするコネクタ。
【請求項２】
一方のハウジングの嵌合用凹所を形成するカバー部分の内面とこの凹所に挿入される他方のハウジングの挿入部の外面とに係合手段を１又は２以上設けたことを特徴とする請求項１に記載のコネクタ。
【請求項３】
前記係合手段は、挿入部の両側面の突条部が相手方のカバー部分の内面の凹条部にスライドして係合するものと、一方の挿入部の上面と他方の挿入部の下面に形成されたくさび状の突起が相手方のカバー部分の内面の溝部に係合するものとを備えていることを特徴とする請求項２に記載のコネクタ。
【発明の詳細な説明】
【技術分野】
【０００１】
本発明は、コネクタに関する。
【背景技術】
【０００２】
コネクタは結合した状態に保持される必要があるため、通常、オス・メス両コネクタの一方側にはロック部が形成され、他方にはこれを受けるためのロック部とは異なる形状のロック受部が形成されている。すなわち、係合手段が設けてある。また、一般に、オス側コネクタには、メス側コネクタを収容するためのフード面が一体に形成されている。従って、メスコネクタとオスコネクタとでは、そのハウジングの形状は異なったものとならざるを得なかった。特に、上記したような複数のブロックによって構成されるタイプのコネクタにおいては、各ブロックにおいてもメスコネクタとオスコネクタとでは形状が異なり、メスコネクタ側とオスコネクタ側とを合わせれば、異なる形状のブロックを複数個用意しなければならず、複数種の金型の製作に伴う経済的負担や部品管理面での負担が大きくなる。
【０００３】
そこで、オス・メスのコネクタハウジングの共用化を図ったものとして、特許文献１に記載のものが開発された。これは、内部にオス・メス何れの端子金具も収容可能とするオス・メス共用のコネクタハウジングと、この両コネクタハウジング同士を対向させてオス・メスの端子金具を接続させた状態で、両コネクタハウジングと係合することにより両コネクタハウジングをロック状態に保持する連結手段（係合手段）とを備えてなるものである。このような構成により、オス・メス両コネクタハウジングを対向させてオス・メスの端子金具を接続させた状態で、これら両コネクタハウジングを連結手段と係合させれば、両コネクタハウジングはロック状態に保持される。つまり、コネクタハウジングを同一構造としてオス・メスを共用するようにしても、両者の間に介在される連結手段によって相互を連結することができる。したがって、オス・メスコネクタハウジングを共通化できるため、経済面・管理面において優れる。
【特許文献１】特開平１０−１１２３５７号公報
【発明の開示】
【発明が解決しようとする課題】
【０００４】
従来技術では、コネクタ収容用の別部材が必要なため、別部材作成用の金型の起工が必要となり、しかも部品点数も増えてしまう。また、別部材をコネクタに装着する工程が発生するため、製造コストも上昇してしまう。
【０００５】
本発明は、コネクタ収容用の別部材を不要とし、部品点数の増加や製造コストの上昇を防止したコネクタを提供することを目的とする。
【課題を解決するための手段】
【０００６】
上述の目的を達成するため、本発明は、オス端子が取付けられるオス端子用ハウジングとメス端子が取付けられるメス端子用ハウジングとを接続・固定したコネクタにおいて、両ハウジングともに接続端面側にひさし状のカバー部分で覆われた嵌合用凹所とこの凹所に嵌まり込む挿入部を備え、両ハウジングは同一金型から成形された同一構造に形成してあり、一方のハウジングの接続端面側では嵌合用凹所を上にし、他方のハウジングの接続端面側では挿入部を上にして一方の嵌合用凹所に他方の挿入部を嵌合させて両ハウジングの端面同士を接続・固定するものである。
【発明の効果】
【０００７】
本発明は、オス端子が取付けられるオス端子用ハウジングとメス端子が取付けられるメス端子用ハウジングとを接続・固定したコネクタにおいて、両ハウジングともに接続端面側にひさし状のカバー部分で覆われた嵌合用凹所とこの凹所に嵌まり込む挿入部を備え、両ハウジングは同一金型から成形された同一構造に形成してあり、一方のハウジングの接続端面側では嵌合用凹所を上にし、他方のハウジングの接続端面側では挿入部を上にして一方の嵌合用凹所に他方の挿入部を嵌合させて両ハウジングの端面同士を接続・固定するものであるため、オス・メス共用ハウジングを１部品の金型起工で作成することができ、部品点数の増加やコストアップを抑制することができる。
【発明を実施するための最良の形態】
【０００８】
以下に、本発明の好適な実施形態を図面を参照にして説明する。
【０００９】
図１は、オス端子用ハウジング１とメス端子用ハウジング２の接続・固定する前の斜視図であり、これらハウジング１、２を接続してコネクタが構成される。
【００１０】
上記ハウジング１、２は、同一の金型で成形された同一形状、同一構造のものであり、一方のハウジング１は、他方のハウジング２に対して接続方向の軸回りに１８０度回転させた状態で接続端面を向き合わせている。
【００１１】
両ハウジング１、２ともに接続端面側にひさし状のカバー部分３で覆われた嵌合用凹所４とこの凹所４に嵌まり込む挿入部５を備え、両ハウジング１、２は同一金型から成形された同一構造に形成してあり、一方のハウジング１の接続端面側では嵌合用凹所４を上にし、他方のハウジング２の接続端面側では挿入部５を上にして一方の嵌合用凹所４に他方の挿入部５を嵌合させて両ハウジング１、２の端面同士を接続・固定するようになっている。
【００１２】
図２では、カバー部分３の上部の内面に形成された溝部６（２本）と、カバー部分３の両側の内面に形成された凹条部７とを示す。溝部６には、相手方の挿入部５に形成されたくさび状の突起８（２本）が係合し、凹条部７には、相手方の挿入部５に形成された両側の突条部９がスライドして係合する。また、両ハウジング１、２には、端子（図示せず）収容用の孔１０が形成されている。
【００１３】
両ハウジング１、２を接続・固定する係合手段としては、図示したものに限定されず、従来のロック手段も採用可能である。
【００１４】
両ハウジング１、２に形成された多数の孔１０には、オス型端子金具とメス型端子金具とをそれぞれ収容し、両ハウジング１、２を接続した状態で、オス・メスの端子金具同士が接続される。また、両ハウジング１、２は、例えば合成樹脂材料を射出成形して形成される。成形手段が異なったり、成形材料が異なっても、ハウジング１、２は同一形状、同一構造のもので、１つの金型から成形される。
【図面の簡単な説明】
【００１５】
【図１】２つのハウジング接続前の斜視図。
【図２】１つのハウジングの斜視図。
【図３】１つのハウジングの側面図。
【図４】正面図。
【符号の説明】
【００１６】
１、２  ハウジング
３      カバー部分
４      嵌合用凹所
５      挿入部
【図１】
2010129438.tif 000003
【図２】
2010129438.tif 000004
【図３】
2010129438.tif 000005
【図４】
2010129438.tif 000006